(57)【要約】  接続を構成する方法は、１つの移動装置形式の移動装置を、１つのＰＢＸ形式の私設内線交換機（ＰＢＸ）システムを含む通信ネットワークに接続するための要求を受け取ることを含む。移動装置及びＰＢＸ形式の少なくとも１つを含む識別情報が提供される。ＰＢＸ結合レイヤが、識別情報に基づいて選択される。選択されたＰＢＸ結合レイヤは、ＰＢＸシステムと接続するために移動装置に提供される。【選択図】図１
2007515134.tif 000002
【特許請求の範囲】
【請求項１】
１つの移動装置形式の移動装置を、１つのＰＢＸ形式の私設内線交換機（ＰＢＸ）システムを含む通信ネットワークに接続する要求を受け取り、
前記移動装置形式及び前記ＰＢＸ形式の少なくとも１つを含む識別情報を提供し、
前記識別情報に基づくＰＢＸ結合レイヤを選択し、
前記ＰＢＸシステムに接続するために、前記選択されたＰＢＸ結合レイヤを前記移動装置に提供する、
ことを特徴とする方法。
【請求項２】
前記識別情報を提供することが、前記移動装置形式と前記ＰＢＸ形式の両方を提供することを更に含むこと特徴とする請求項１に記載の方法。
【請求項３】
前記ＰＢＸ結合レイヤを選択することが、前記ＰＢＸ結合レイヤをＰＢＸ結合レイヤのライブラリから選択することを更に含むこと特徴とする請求項１に記載の方法。
【請求項４】
前記移動装置上の前記ライブラリを記憶することを更に含むことを特徴とする請求項３に記載の方法。
【請求項５】
前記通信ネットワークと接続されたインターフェース・エージェント上の前記ライブラリを記憶することを更に含むことを特徴とする請求項３に記載の方法。
【請求項６】
前記通信ネットワークから離れた位置で、前記遠隔地との接続を介して前記ライブラリにアクセスすることを更に含むことを特徴とする請求項３に記載の方法。
【請求項７】
前記選択されたＰＢＸ結合レイヤを使用して前記移動装置を介して前記ＰＢＸシステムにアクセスすることを特徴とする請求項１に記載の方法。
【請求項８】
前記通信システムは、第一通信ネットワークを含み、前記ＰＢＸシステムは第一ＰＢＸシステム形式の第一ＰＢＸシステムを含み、
前記移動装置を前記第一通信ネットワークから第二ＰＢＸ形式の第二私設内線交換機（ＰＢＸ）システムを含む第二通信ネットワークに転送し、
前記移動装置形式及び前記第二ＰＢＸ形式の少なくとも１つを含む識別情報を提供し、
前記識別情報に基づいて前記ＰＢＸ結合レイヤを選択し、
前記第一通信ネットワークから前記第二通信ネットワークへの転送の後に、前記第二ＰＢＸシステムと接続するために、前記選択されたＰＢＸ結合レイヤを前記移動装置に提供する、
ことを特徴とする請求項１に記載の方法。
【請求項９】
前記識別情報を提供することは、前記移動装置形式及び前記第二ＰＢＸ形式を提供することを更に含むことを特徴とする請求項８に記載の方法。
【請求項１０】
前記第一及び第二通信ネットワークの１つは無線通信ネットワークで、前記第一及び第二通信ネットワークのもう一方は有線通信ネットワークであることを特徴とする請求項８に記載の方法。
【請求項１１】
前記移動装置に対して使用者インターフェースを提供することを更に含み、前記移動装置を前記第一通信ネットワークから前記第二通信ネットワークに転送することは、前記使用者インターフェースを実質的に変化させずに前記移動装置を前記第一通信ネットワークから前記第二通信ネットワークに転送することを更に含むこと特徴とする請求項８に記載の方法。
【請求項１２】
使用者プロファイルを受け取ることを更に含み、前記ＰＢＸ結合レイヤは前記使用者プロファイルに基づいて前記通信ネットワーク上のサービスにアクセスするための指示を含むことを特徴とする請求項１に記載の方法。
【請求項１３】
第一通信ネットワークを含むシステムであって、
１つの移動装置形式の移動装置を前記通信ネットワークに接続するための要求を受け取るようにされたインターフェース・エージェントと、
前記インターフェース・エージェントに接続された１つのＰＢＸ形式の私設内線交換機（ＰＢＸ）とを含み、前記移動装置及び前記インターフェース・エージェントの少なくとも１つが、前記移動装置形式及び前記ＰＢＸ形式の少なくとも１つを含む識別情報を提供し、前記識別情報に基づいてＰＢＸ結合レイヤを選択し、前記選択されたＰＢＸ結合レイヤを前記ＰＢＸシステムに接続するために前記移動装置に提供するようにされた、
ことを特徴とするシステム。
【請求項１４】
前記移動装置は前記移動装置形式を提供することが可能で、前記インターフェース・エージェントは前記ＰＢＸ形式を提供するようにされたことを特徴とする請求項１３に記載のシステム。
【請求項１５】
前記選択されたＰＢＸ結合レイヤが記憶されるＰＢＸ結合レイヤのライブラリを更に含むことを特徴とする請求項１３に記載のシステム。
【請求項１６】
前記ライブラリは、前記移動装置上に設置されていることを特徴とする請求項１５に記載のシステム。
【請求項１７】
前記ライブラリは、前記通信ネットワークに接続された前記インターフェース・エージェント上に設置されていることを特徴とする請求項１５に記載のシステム。
【請求項１８】
前記ライブラリは、前記通信ネットワークから離れた位置に設置され、前記遠隔地への接続を介して前記通信ネットワークによりアクセス可能であることを特徴とする請求項１５に記載のシステム。
【請求項１９】
前記移動装置は、無線接続による前記インターフェース・エージェントへの接続が可能であることを特徴とする請求項１３に記載のシステム。
【請求項２０】
前記移動装置は、有線接続を介して前記インターフェース・エージェントに接続可能であることを特徴とする請求項１３に記載のシステム。
【請求項２１】
前記通信ネットワークが更に第一通信ネットワークを含み、前記インターフェース・エージェントが第一インターフェース・エージェントを含み、前記ＰＢＸシステムが第一ＰＢＸ形式の第一ＰＢＸシステムを含む請求項１３に記載のシステムであって、
前記第二通信ネットワークに接続され、前記第一インターフェース・エージェントから前記移動装置との通信を引き継ぐことが可能な第二インターフェース・エージェントと、
第二ＰＢＸ形式を持つ第二私設内線交換機（ＰＢＸ）と、
を含む第二通信ネットワークを更に含み、
前記移動装置及び前記第二インターフェース・エージェントの少なくとも１つが、前記移動装置形式及び前記第二ＰＢＸ形式の少なくとも１つを含む識別情報を提供し、前記識別情報に基づいて前記ＰＢＸ結合レイヤを選択し、前記移動装置を前記第一インターフェース・エージェントから前記第二インターフェース・エージェントに転送した後に、前記第二ＰＢＸシステムに接続するために前記移動装置に選択されたＰＢＸ結合レイヤを提供するものである、
ことを特徴とする請求項１３に記載のシステム。
【請求項２２】
前記移動装置は前記移動装置形式を提供するものであり、前記第二インターフェース・エージェントは前記第二ＰＢＸ形式を提供するものであることを特徴とする請求項１９に記載のシステム。
【請求項２３】
前記第一及び第二通信ネットワークの１つは、無線通信ネットワークであり、前記第一及び第二通信ネットワークのもう一方は、有線通信ネットワークであることを特徴とする請求項２１に記載のシステム。
【請求項２４】
前記移動装置は使用者インターフェースを含み、該使用者インターフェースは前記第一インターフェース・エージェントから前記第二インターフェース・エージェントへの転送後においても実質的にそのままであることを特徴とする請求項２１に記載のシステム。
【請求項２５】
前記ＰＢＸ結合レイヤは、前記移動装置に関連する使用者プロファイルに基づいて、前記通信ネットワーク上のサービスにアクセスする指示を含むことを特徴とする請求項１３に記載のシステム。
【請求項２６】
前記インターフェース・エージェントは、ゲートウエイ及びアクセス地点の少なくとも１つと、無線スイッチ、有線スイッチ、及びサーバーを含むことを特徴とする請求項１３に記載のシステム。
【請求項２７】
ＰＢＸ結合レイヤのライブラリと、
ＰＢＸ形式のＰＢＸシステムを含む通信ネットワークに接続し、少なくとも前記ＰＢＸ形式を含む識別情報を受け取り、前記識別情報に基づいて前記ＰＢＸシステムに接続するために前記ライブラリから前記ＰＢＸ結合レイヤの１つを選択するようになった処理ユニットと、
を含むことを特徴とする移動装置。
【請求項２８】
前記移動装置は、１つの形式をもち、前記処理ユニットは更に、前記ＰＢＸ形式及び前記移動装置形式に基づいて前記ＰＢＸシステムと接続するために、前記ライブラリから前記ＰＢＸ結合レイヤの１つを選択するものであることを特徴とする請求項２７に記載の装置。
【請求項２９】
更に、前記通信ネットワークから異なるＰＢＸ形式の異なる通信ネットワークに転送した後も、実質的に変化しないままである使用者インターフェースを含むことを特徴とする請求項２７に記載の装置。
【請求項３０】
前記ＰＢＸ結合レイヤは、前記移動装置に関連する使用者プロファイルに基づいて前記通信ネットワーク上のサービスにアクセスする指示を含むことを特徴とする請求項２７に記載の装置。
【請求項３１】
１つの移動装置形式の移動装置と、
前記移動装置を前記通信ネットワークに接続するインターフェース・エージェント、及び
前記インターフェース・エージェントに接続され、１つのＰＢＸ形式の私設内線交換機（ＰＢＸ）システム、
を含む通信ネットワークと、
ＰＢＸ結合レイヤのライブラリと、
を含み、該ＰＢＸ結合レイヤのライブラリが、前記移動装置を前記ＰＢＸシステムに接続するように構成するために前記移動装置及び前記インターフェース・エージェントの少なくとも１つによって選択され、前記移動装置にダウンロードされるようにするために、前記移動装置形式及び前記ＰＢＸ形式の少なくとも１によって検索される、
ことを特徴とするシステム。
【請求項３２】
前記インターフェース・エージェントは更に、ゲートウエイ及びアクセス地点の少なくとも１つと、無線スイッチ、有線スイッチ、及びサーバーを含むことを特徴とする請求項１３に記載のシステム。
【請求項３３】
１つの移動装置形式の移動装置を、１つのＰＢＸ形式の私設内線交換機（ＰＢＸ）システムを含む通信ネットワークに接続するための方法と、
前記移動装置形式及び前記ＰＢＸ形式の少なくとも１つを含む識別情報を提供する手段と、
前記識別情報に基づいてＰＢＸ結合レイヤを選択する手段と、
前記選択されたＰＢＸ結合レイヤを使用して前記ＰＢＸシステムに接続するように前記移動装置を構成する手段と、
を含むことを特徴とするシステム。
【発明の詳細な説明】
【技術分野】
【０００１】
本発明は、一般的に通信システムに関し、より特定的にはインターネットプロトコルによる顧客音声接続（ＶＯＩＰ）を構成する方法及び装置に関する。
【背景技術】
【０００２】
何年もの間、公衆電話ネットワークが音声通信に使用されてきた。典型的な電話は、音波をアナログ信号に変換し、公衆電話ネットワーク（ＰＳＴＮ）を介して別の電話に伝達し、アナログ音声信号を音波に再び変換する。最近では、無線及び携帯電話がその移動性により人気が上昇してきている。使用者は、もはや固定電話に縛られずに、自分の電話を自由に持ち歩いている。
【０００３】
更に、使用者は、音声通信のためだけでなくデータ転送のためにも移動装置を使用している。ネットワークによるデータ通信及び音声通信の両方を促進するポータブルデジタル装置が開発されてきた。このような音声通信は、一般的にインターネットプロトコルによる音声通信（ＶＯＩＰ）を意味する。音声データはパケットに圧縮され、データパケットの取り扱いと類似した方法で目的地に伝達される。
【０００４】
接続が望まれるネットワークには様々な形式がある。例えば、移動装置は、ＰＳＴＮと音声接続を確立するためにネットワークにより接続することができる。しかしながら、多くの事業所は、内線通話を取り扱うために、私設内線交換機（ＰＢＸ）又は私設自動内線交換機（ＰＡＢＸ）を備えている。ＰＢＸシステムは、直通回線（例えば、ＰＳＴＮへの接続）のある番号を内線の使用を介して他の電話に配信させるものである。例えば、事業所は、ＰＢＸシステムを取り付け、５直通回線を事業所に持つことができる。ＰＢＸを介して、５回線は、内線を使用するシステムと２０個の電話と接続することができる。事業所内の電話は転送され、ラインは電話会議に接続することができる。典型的には、ＰＢＸシステムは、コール再送、コール転送などの他の特徴も持つことができる。ＰＳＴＮのようなネットワークは、整合性を保証するために、基準により厳密に規制されているが、ＰＢＸシステムには、このような統一性又は整合性はない。各々のＰＢＸ製造業者は、典型的には、コール再送、転送などのような機能を達成するための独自の占有コードを持っている。
【０００５】
無線データ通信技術を使用する広域ネットワーク（ＷＡＮ）を実施するシステムは、一般的に何年もの間有効であった。無線周波数（ＲＦ）通信システム及び周波数変調（ＦＭ）無線通信を使用する実施形態が存在する。周波数変調通信技術は、従来の地点間無線及び通信を含む。これらのシステムは、Ｍｏｂｉｔｅｓｘプロトコルを使用したＲＡＭ  Ｍｏｂｉｌｅ  Ｄａｔａ  Ｓｅｒｖｉｃｅ、イリノイ州リンカーンシャーのＡＲＤＩＳ  Ｃｏｍｐａｎｙにより製造されているＡｄｖａｎｃｅｄ  Ｒａｄｉｏ  Ｄａｔａ  Ｉｎｆｏｒｍａｔｉｏｎ  Ｓｅｒｖｉｃｅ（ＡＲＤＩＳ）、及びＣｅｌｌｕｌａｒ  Ｄｉｇｉｔａｌ  Ｐａｃｋｅｔ  Ｄａｔａ（ＣＤＰＤ）サービスを含む。
【０００６】
無線域内ネットワーク（ＷＬＡＮｓ）が様々な事業所及び他の設定で使用される。無線域内ネットワークは、固定式、ポータブル、又は移動コンピューターユニットと、固定アクセスポイント又は基地局との間で通信するために、赤外線又は無線周波数通信チャンネルを使用する。反対に、これらのアクセスポイントは、有線又は無線通信チャンネルによって、域内ネットワークを形成するために、場合によっては１つ又はそれより多いホストコンピュターシステムを含むアクセスポイントのグループに接続するネットワーク構成要素に接続されている。
【０００７】
ホストコンピューターと通信可能な様々な形式を持つ移動装置の論理的相互接続を支持する無線赤外線及び無線周波数（ＲＦ）プロトコルが知られている。論理的相互接続は、予め定められた範囲内に配置される時、遠隔ターミナルの少なくとも幾つかがアクセスポイントの少なくとも２つと通信可能であるような構成要素を基盤とし、各々の端末ユニットは通常、このようなアクセスポイントの１つだけと接合し、かつ、通信するように接合されている。全体的な空間レイアウト、応答時間及びネットワークの搭載要求量に基づいて、移動ユニットを特定のアクセスポイントに接合し、かつ、個々の移動ユニットが通信チャンネルを放送のために利用できるようにすることを、最も効率的に調整するために、異なるネットワーク技術及び通信プロトコルが設計されてきた。
【０００８】
このようなプロトコルの１つが、各々が本出願人に譲渡された米国特許第５，０２９，１８３号、第５，１４２，５５０号、第５，２８０，４９８号、及び第５，６６８，８０３号に記載されており、これら特許は引用によりここに組み入れられる。別のこのようなプロトコルは、米国特許第５，６７３，０３１号に記載されている。更に別のプロトコルは、ニュージャージー州ピスカタウエイのＩＥＥＥ  Ｓｔａｎｄａｒｄｓ  Ｄｅｐａｒｔｍｅｎｔより入手可能な“Ｗｉｒｅｌｅｓｓ  ＬＡＮ  Ｍｅｄｉｕｍ  Ａｃｃｅｓｓ  Ｃｏｎｔｏｒｏｌ（ＭＡＣ）ａｎｄ  Ｐｈｙｓｉｃａｌ  Ｌａｙｅｒ（ＰＨＹ）Ｓｐｅｃｉｆｉｃａｔｉｏｎｓ”という名称のＩＥＥＥ  Ｓｔａｎｄａｒｄ８０２．１１（これより“ＩＥＥＥ８０２．１１Ｓｔａｎｄａｒｄ”）に述べられている。８０２．１１ｓｔａｎｄａｒｄ（例えば８０２．１１ｂ）の様々な繰り返しは、異なるデータ速度及び能力のプロトコルを定める。８０２．１１は、このような特例のファミリー全体を含むように意図されている。ＩＥＥＥ８０２．１１Ｓｔａｎｄａｒｄは、赤外線又はＲＦ通信のいずれか、キャリア感知型多重アクセス／コリジョン回避（ＣＳＭＡ／ＣＡ）と類似した中間アクセス技術、電池式移動ユニットに特に重要な節電モード、携帯ネットワーク全体のシームレス移動、高処理量作動、「不滅スポット」を排除するように設計された分散性アンテナシステム、及び存在するネットワーク構成要素の容易な接続を可能にする。
【０００９】
本発明に関連するネットワークに適用されることができる音声、映像及びマルチメディアの通信のための基本的仕様が、国際通信連合通信標準セクション（ＩＴＵ−Ｔ）標準Ｈ．３２１−３２３に述べられている。Ｈ．３２１提唱は、非同期転送モード（ＡＴＭ）チャネルに関するものであり、Ｈ．３２２は、保障されたＱｕａｌｉｔｙ  ｏｆ  Ｓｅｒｖｉｃｅ  ＬＡＮに関するものであり、更にＨ．３２３は、パケットベースのシステムに関するものである。他の例示的プロトコルは、セッション開始型プロトコル（ＳＩＰ）、Ｍｅｇａｃｏ、マルチメディアゲートウエイコントロールプロトコル（ＭＧＣＰ）、及び他の占有プロトコルを含む。
【００１０】
ＶＯＩＰシステムにおいては、データパケットは、デジタル音声試料の圧縮されたデータ流れから形成される。データパケットは、データネットワークによる伝達のためにフォーマットされる。ネットワークの待ち時間及びパケット伝達遅延が、電話による会話の明瞭さ及び同時性を妨げるので、ネットワークのデータパケットによる音声パケット（又は他の同時マルチメディアパケット）に優先性を与え、これによって、あらゆるトラフィック状況において、いずれのネットワークノードにおいても遅延感性パケットをデータパケットと入れ替わらせることとなる。Ｈ．３２３提唱は又、順序付け及び手順の確立及び切り離しのタイミングを決定するだけでなく、それが確立された後、Ｈ．３２３セッションの制御を含むコールの確立及び制御を提供する。
【００１１】
ネットワークレイヤプロトコルとしてインターネットプロトコル又は“ＩＰ”（ＩＥＴＦ  ＲＦＣ７９１で述べられている）が使用される範囲においては、国際マルチメディア電話会議コンソーシアムによるＩＰ音声フォーラムの提唱を、このようなＩＰによる音声（ＶＯＩＰ）ネットワークに適用することができる。ＶＯＩＰネットワークにおいては、音声信号は、ＩＰパケットにデジタル化、カプセル化され、ＩＰネットワークにおいてＶＯＩＰの可能な装置の間に導かれる。音声のこれらのパケットは、次に音声通信としてリアルタイムで送達されるか又は音声メールとして記憶されることになる。
【００１２】
域内ネットワークと、広域ネットワーク又は電話ネットワークとの間の通信は、一般的に、ゲートウエイ又はプロクシとして知られる通信コントローラーによって達成される。例えば、Ｈ．３２３標準においては、ゲートウエイは一般的に、ＩＰネットワークのＨ．３２３端末と、他のＩＴＵ端末、ＰＳＴＮ又はＰＢＸの電話、及び他のネットワークの端末との間の実時間の相互通信を提供する末端点を意味する。
【００１３】
移動装置がゲートウエイを介してＰＢＸシステムに通信するようにするためには、移動装置は、ＰＢＸが該移動装置の機能へのアクセスを受けることを予期する命令をもつように構成されなければならない。移動装置をＰＢＸに接続することに関連する１つの問題点は、様々なＰＢＸシステム内に及びこれらの異なる内部プロトコルにある。単一事業所が１つより多いＰＢＸシステムの型を取り付けることは異常なことではない。したがって、ＰＢＸの特定の型と接続するように構成された装置は、異なるＰＢＸプロトコルを使用するネットワークに接続された場合、正確に処理しなくなるであろう。この問題は、無線環境において形成されるものであり、無線環境では、使用者が場穂を移動し、使用者のコールを取り扱うアクセス地点によっては、設備内の異なるアクセス点又はゲートウエイに接続することは異常なことではない。使用者があるアクセス地点から別の地点に移動する場合には、移動装置は、正しいＰＢＸ命令をもはや知らないので、正確に作動することを止めるであろう。
【００１４】
本発明は、上記した１つ又はそれより多い問題点を克服するか又は少なくともそれらの影響を減少することに向けられる。
【００１５】
【特許文献１】米国特許第５，０２９，１８３号公報
【特許文献２】米国特許第５，１４２，５５０号公報
【特許文献３】米国特許第５，２８０，４９８号公報
【特許文献４】米国特許第５，６６８，８０３号公報
【特許文献５】米国特許第５，６７３，０３１号公報
【発明の開示】
【発明が解決しようとする課題】
【００１６】
本発明の一つの態様は、接続を構成するための方法にある。この方法は、移動装置形式を持つ移動装置を、ＰＢＸ形式を持つ私設内線交換機（ＰＢＸ）システムを含む通信ネットワークに接続するために要求を受け取ることを含む。移動装置形式及びＰＢＸ形式の少なくとも１つを含む識別情報が提供される。ＰＢＸ結合レイヤは、識別情報を基にして選択される。ＰＢＸシステムと接続するために、選択されたＰＢＸ結合レイヤが移動装置に提供される。
【００１７】
本発明の別の態様は、第一通信ネットワークを含むシステムにある。通信ネットワークは、インターフェースユニット及びＰＢＸシステムを含む。インターフェース・エージェントは、移動装置形式を持つ移動装置を通信ネットワークに接続するための要求を受け取るのに適している。私設内線交換機（ＰＢＸ）システムはＰＢＸ形式を持ち、インターフェース・エージェントと接続される。移動装置及びインターフェース・エージェントの少なくとも１つは、移動装置形式及びＰＢＸ形式の少なくとも１つを含む識別情報を提供するようにされている。インターフェース・エージェントは、識別情報に基づくＰＢＸ結合レイヤを選択し、選択されたＰＢＸ結合レイヤをＰＢＸシステムに接続するための移動装置に提供するようにされている。
【発明を実施するための最良の形態】
【００１８】
本発明は、同様な参照番号が同様な要素を表している添付図面と合わせて以下の説明を参照することにより理解されるであろう。
【００１９】
本発明は、様々な修正及び代替的形態が可能であるが、特定の実施形態が図面の実施例により示されており、ここにその詳細が述べられている。しかしながら、ここに述べられた特定の実施形態は、本発明を特定の形式に制限するものではなく、むしろ、本発明は、添付された特許請求の範囲により定められる本発明の意図及び範囲内にあるすべての修正、均等手段、及び代替的構成を含むものである。
【００２０】
本発明の実施形態が以下に述べられている。明確にするために、実際に実施されるすべての特徴が本明細書に記されているわけではない。このようなあらゆる実際の実施形態の開発においては、多くの実施に際しての特有の決定が、システム関連及び事業関連制約に追従するような開発者の特定の目標を達成させるものであり、これは１つの実施から別の実施へと種々異ならせることが認識されるであろう。更に、これらの開発努力は、複雑で更に時間を浪費するものであるが、それでもなお本特許の利点を取得した当業者にとって通常の行為であることが認識されるであろう。
【００２１】
図１は、本発明の１つの例示的実施形態としての通信システム１００の一例示的実施形態を示している。移動装置１１０は、無線接続（例えば８０２．１１形式接続）又は有線ネットワーク接続を使用し、ゲートウエイ１３０又はアクセス地点１４０を介してネットワークと接続する。「移動」という用語は、無線接続に制限されるものではない。例えば、移動装置１１０は、設備内の様々な位置でネットワーク１２０に連結されることができる。移動装置１１０は、ネットワーク１２０で私設内線交換機（ＰＢＸ）システム１５０に接続するためにインターネットプロトコルによる音声（ＶＯＩＰ）プロトコルを使用する。ＰＢＸシステム１５０は、公衆電話ネットワーク（ＰＳＴＮ）１６０と接続する。
【００２２】
特記しない限り、通信システム１００の構成要素は商業的に入手可能であり、当業者はこれらの構造及び処理を熟知している。したがって、これらの構成要素についてはここでは詳細に記されない。示された実施形態に使用される通信機構は、これに制限されるものではないが、ワシントン州レドモンドのＭｉｃｒｏｓｏｆｔ  Ｃｏｒｐｏｒａｔｉｏｎ及びニューヨーク州ホワイトプレーンズのＩＢＭ  Ｃｏｒｐｏｒａｔｉｏｎにより開発されたＳｉｍｐｌｅ  Ａｃｃｅｓｓ  Ｏｂｊｅｃｔ  Ｐｒｏｔｏｃｏｌ（ＳＯＡＰ）などの開放標準通信プロトコルとする。
【００２３】
ＰＢＸシステム１５０との通信を促進するために、移動装置１１０は、占有プロトコルによってＰＢＸシステム１５０に接続するために適切な命令を特定するＰＢＸ結合レイヤ１７０（例えばソフトウエアで実行される）を使用する。幾つかの実施形態においては、ＰＢＸ結合レイヤ１７０は又、移動装置１１０の特定の要求に適合される。例えば、そのソフトウエア（別に示されていない）による移動装置１１０は、命令（例えば、コール転送を実施するためのＴＲ１）を発生することができる。ＰＢＸシステム１５０は、内部プロトコルによるコール転送を実施するために異なる命令（例えば、ＴＲ２）を予期することができる。ＰＢＸ結合レイヤ１７０は、移動装置のソフトウエアからの入力ＴＲ１命令をＰＢＸシステム１５０のための出力ＴＲ２命令に変換するべきである、と規定する指示を含む。異なる形式の移動装置は異なる入力命令を使用する場合があり、異なる形式のＰＢＸシステムは異なる出力命令を使用する場合がある。別の実施形態においては、移動装置は汎用性転送命令を発生し、ＰＢＸ結合レイヤ１７０は、特定のＰＢＸシステム１５０実施の特定の要求を定めることが必要なだけという場合がある。
【００２４】
当業者は、商業的に入手可能な移動装置及びＰＢＸシステムにより使用される命令に慣れており、選択された特定の装置に対応するＰＢＸ結合レイヤ１７０を構成することが十分に可能である。したがって、明確にし、かつ、本発明を不明瞭にすることを避けるために、示された実施形態を実施するこの態様に関しては、更なる詳細は提供されない。
【００２５】
様々な代替的実施形態においては、移動装置１１０は、ＶＯＩＰ電話、個人用携帯型情報端末（ＰＤＡ）、ポータブルコンピューター、デスクトップコンピューターなどとすることができる。音声及び／データ信号は、移動装置１１０とゲートウエイ１３０及び／又はＡＰ１４０の間を伝達されることになる。一実施形態においては、音声及び／又はデータ信号は、２．４ＧＨｚ変調キャリア無線信号などの共通周波数を持つ変調無線信号を使用して、移動装置１１０とゲートウエイ１３０及び／又はＡＰ１４０の間を伝達されることになる。ゲートウエイ１３０及びＡＰ１４０が別個に描かれているが、両方をすべての実施形態において設置する必要はない。又、ＡＰ１４０は、ゲートウエイ及びＡＰの両方として機能するように構成することができる。したがって、以下の例示においては、移動装置１１０がゲートウエイ１３０に接続されるということは、ＡＰ１４０はゲートウエイ１３０として機能する場合を含むことを意味する。ゲートウエイ１３０又はＡＰ１４０を通した通信を以下の説明に述べているが、本発明はこれに制限されるものではなく、他のインターフェース・エージェントも使用することができる。例えば、移動装置１１０は、これらに制限されるものではないが、ゲートウエイ１３０、ＡＰ１４０、有線又は無線スイッチ（示されていない）、サーバー（示されていない）などのインターフェース・エージェントを介して、ネットワーク１２０に接続することができる。
【００２６】
移動装置１１０がゲートウエイ１３０を介してネットワーク１２０との接続を確立する時、ゲートウエイ１３０は第一に、移動装置１１０を使用して使用者及びパスワード情報を交換することにより使用者の認証を確立する。使用者を認証すると、ゲートウエイ１３０は、使用者が彼らの口座に対して音声機能に対しアクセス権を有する（すなわちＰＢＸシステム１５０にアクセスする）かどうかを判断する。次にゲートウエイ１３０は、ＰＢＸシステム１５０の認証を特定する認証情報をＰＢＸに提供する。ＰＢＸ認証情報は、ＰＢＸシステム１５０の認証と関連するＰＢＸプロトコルの両方を特定するか、又はＰＢＸシステム１５０の製造者及びモデル情報のみを特定するものとすればよい。
【００２７】
ＰＢＸ認証情報に基づいて、ゲートウエイ１３０又は移動装置１１０は、移動装置１１０を構成するための適切なＰＢＸ結合レイヤ１７０を決定するために、結合レイヤのライブラリ１８０にアクセスする。「適切な」ＰＢＸ結合レイヤ１７０は、移動装置１１０のソフトウエアにより発生した命令とＰＢＸシステム１５０により使用された命令とを交換するものの一つとなることに留意するべきである。ライブラリ１８０の設置可能な位置及び適切なＰＢＸ結合レイヤ１７０をどのように移動装置１１０に提供するかが、以下に述べられる。図１は多数のライブラリ１８０を描いているが、各々の個々のライブラリ１８０がすべての実施形態に設置されることは必要ではない。例えば、ゲートウエイ１３０が適切なＰＢＸ結合レイヤ１７０を認証する役割を持たされる場合には、移動装置１１０及びネットワーク１２０のライブラリ１８０は省くことができる。
【００２８】
適切なＰＢＸ結合レイヤ１７０を受け取ると、移動装置１１０は、ＰＢＸシステム１５０にアクセスするように構成され、ゲートウエイ１３０は、使用者のプロファイル情報に基づいてＰＢＸシステム１５０にアクセスすることを使用者が承認されている、特定の形態を特定する。例えば、異なる使用者は、ＰＳＴＮ１６０、ＰＢＸシステム１５０内の内線、音声メール、コール再送、コール待ちなどによる域内又は長距離サービスにアクセスするために、それぞれの能力を定める異なるプロファイルを持つことができる。
【００２９】
図２Ａは、結合レイヤ１８０のライブラリ内のエントリー２００の簡略化した図を示している。ライブラリ１８０は、当業者に知られたあらゆる適当なデータ構造を使用して実施することができることに留意するべきである。図２Ａに描かれた実施形態においては、各々のエントリー２００は、移動装置形式フィールド２２０及びＰＢＸ形式フィールド２３０により示された結合レイヤ２１０を含む。ＰＢＸシステム１５０及びＰＢＸシステム１５０形式にアクセスする移動装置１１０形式が判断されると、適切な結合レイヤ２１０を選択することができる。以下に詳細に述べるように、特定の実施においては、形式フィールド２２０、２３０の１つを省略することができる。
【００３０】
示された第一の実施形態においては、ゲートウエイ１３０は、移動装置１１０に適切なＰＢＸ結合レイヤ１７０を与える役割を持たされている。結合レイヤのライブラリ１８０は、ゲートウエイ１３０（例えば、ゲートウエイ１３０としてのコンピューターの機能）に存在するものとすることができる。この場合、ゲートウエイ１３０は、前もってＰＢＸ形式情報を認識している。図２Ｂに示されているように、ライブラリ１８０のエントリー２００は、特定のＰＢＸ形式のためだけに必要であり、ＰＢＸ形式フィールド２３０（図２Ａに示されている）は省略することができる。移動装置１１０がゲートウエイ１３０と接続する時、ゲートウエイ１３０にその装置形式（例えば、Ｘ型無線電話、Ｙ型ＰＤＡ、又はＺ型ノート式コンピューター）を特定する認証情報を提供する。ゲートウエイ１３０は、移動装置形式に基づいたライブラリ１８０にアクセスし、移動装置１１０に提供するために、対応するエントリー２００及び結合レイヤ２１０を選択する。
【００３１】
別の実施形態においては、ゲートウエイ１３０は、ネットワーク１２０上でライブラリ１８０にアクセスするようにすることができる。ライブラリ１８０は、ネットワーク１２０上の別の位置に、又は、例えばインターネット接続を介してアクセス可能な別の位置に記憶されるようにすることができる。例えば、ＰＢＸ又は移動装置製造者又は幾つかの他の業者は、様々な結合レイヤ２１０を記憶するウエブサイトを介してアクセス可能なライブラリ１８０を提供することができる。ゲートウエイ１３０は、ＰＢＸシステム形式及び移動装置形式の知識に基づいて、適切な結合レイヤ２１０を固定し、移動装置１１０に提供するためにライブラリ１８０にアクセスすることができる。
【００３２】
更に別の実施形態においては、移動装置１１０は、ライブラリ１８０を記憶し、ＰＢＸシステム１５０についてゲートウエイ１３０により提供されたＰＢＸ形式情報に基づいてそれ自体を構成することができる。図２Ｃに示されているように、移動装置１１０は、その特定の装置形式に対する結合レイヤ２１０を記憶するだけでよいので、移動装置形式フィールド２２０は省略することができる。この実施形態においては、移動装置１１０が接続を開始する時に、ゲートウエイ１３０は移動装置１１０にＰＢＸ形式情報を提供する。ＰＢＸ形式情報に基づいて、移動装置１１０は、ＰＢＸ結合レイヤ１７０として使用するために適切な結合レイヤ２１０を認証するようにＰＢＸ形式フィールド２３０にアクセスする。
【００３３】
通信システム１００は、特定の実施に応じて、１つ又はそれより多いライブラリが取り付けられるようにすることができる。例えば、移動装置１１０がそのライブラリ１８０の中に適切な結合レイヤ２１０を配置することができない場合は、ゲートウエイ１３０がそれ自体の内部ライブラリ１８０にアクセスし、適切な結合レイヤ２１０を配置するようにすることができる。ゲートウエイ１３０が更に適切な結合レイヤ２１０を見出すことができない場合には、ネットワーク１２０上の外部ライブラリ１８０にアクセスするか、又は特定の移動装置１１０が適切な結合レイヤ２１０を見つけるために、インターネットを介してアクセスすることが可能である。この多重階層配列は、新しい形式又は世代の移動装置１１０が望まれるような状況においては有益であり、ライブラリ１８０は同じ位置にとどまることは望まれない。
【００３４】
図３においては、通信システム３００の代替的実施形態が提供されている。図３の実施形態においては、別個のネットワーク３３０、３４０上に多数のシステム３１０、３２０が設けられている。各々のシステム３１０、３２０は、それぞれのＰＢＸシステム３７０、３８０と接続するそれぞれのゲートウエイ３５０、３６０を持つ。更にゲートウエイ３５０、３６０が示されているが、類似した機能を形成するためにアクセス地点（示されていない）を設けることができる。示された実施形態においては、ＰＢＸシステム３７０、３８０は異なる形式（例えば、製造者或いは型番号）であり、異なる内部プロトコルを使用する。
【００３５】
図３の実施形態においては、無線装置１１０が移動して、ゲートウエイ３５０が移動装置１１０に対する責任をゲートウエイ３６０に引き渡すようになる。当業者は、このような移転操作及び該移転を完了するのに必要な適切なステップを熟知している。しかしながら、ＰＢＸシステム３７０、３８０は異なる形式なので、移動装置１１０は、移転する間にＰＢＸ結合レイヤ１７０を再構成する必要がある。移動装置１１０は、この場合、引渡しエージェントとなることができる。
【００３６】
移動装置１１０は、システム３１０の範囲からシステム３２０の範囲に入る時に、ゲートウエイ３６０は、引渡し手順を初期化し、移動装置１１０に対し責任を持つであろうことをゲートウエイ３５０に知らせる。ゲートウエイ３６０及び移動装置１１０は次に、図１を参照して上記したのと類似した構成手順を形成する。ゲートウエイ３６０又は移動装置１１０のいずれかが、移動装置１１０形式及びＰＢＸシステム３８０形式に基づいた移動装置１１０に対してＰＢＸ結合レイヤ１７０を認証することになる。次いで、ゲートウエイ３６０及び移動装置１１０が移転を完了しようとする時、移動装置１１０は適切なＰＢＸ結合レイヤ１７０をロードすることができ、処理を続行することができる。ゲートウエイ３５０、３６０が引渡しを調整することができるか、或いは代替的に移動装置１１０が引渡しを調整することができる。
【００３７】
図４に移ると、本発明の別の例示的実施形態による移動装置１１０を構成する方法が、簡略化したブロック図で提供されている。ブロック４００においては、移動装置形式を持つ移動装置１１０を、ＰＢＸ形式を持つ私設内線交換機（ＰＢＸ）システム１５０を含む通信ネットワーク１００に接続する要求が受け取る。ブロック４１０においては、移動装置形式及びＰＢＸ形式の少なくとも１つを含む認証情報が提供される。ブロック４２０においては、ＰＢＸ結合レイヤ１７０が、認証情報に基づいて選択される。ブロック４３０においては、選択されたＰＢＸ結合レイヤ１７０が、ＰＢＸシステム１５０と接続するために移動装置１１０に提供される。
【００３８】
図５を参照すると、移動装置１１０の簡略化したブロック図が提供されている。移動装置１１０は、処理ユニット１１２（例えば、マイクロプロセッサー及び関連した記憶及びバス回路）及び結合レイヤ１８０のライブラリに記憶するようにされた記憶デバイス１１４（例えば、ハードディスク、フロッピーディスク、プログラム可能な記憶、ＣＲ−ＲＯＭディスクなど）を含む。移動装置１１０が結合レイヤ１８０のライブラリを収容する上記した実施形態においては、処理ユニット１１２は、ゲートウエイ１３０に接触し、ＰＢＸ形式を受け取り、更に少なくともＰＢＸ形式に基づいて結合レイヤ１８０のライブラリからＰＢＸ結合レイヤ１７０を選択するようにされている。
【００３９】
ＰＢＸ結合レイヤ１７０の自動ローディング及び更新は、ここに述べたように、様々なＶＯＩＰ及びＰＢＸシステムを介してシームレス接続の可能性を持たせる。移動装置１１０の使用者は、このようにして、基礎になるＰＢＸシステムに関係なく一定した使用インターフェースを提供される。使用者が異なるサービス地点に移動しても、ＰＢＸ結合レイヤ１７０は自動的に更新されるが、使用者は実質的に同一のインターフェースを持ち、新しいシステムと相互作用することになる。使用者インターフェースは、ネットワークの転送が発生したことは示すが、使用者が新しいネットワーク上のサービスにアクセスする方法は、本質的に前のネットワークで使用していた方法と同一のものとするべきである。使用者プロファイル及び通信情報は、ネットワークにより管理され、管理者は、中央局から使用者プロファイルを制御することができる。更に、初期化の間にネットワークに提供された使用者のＩＤ及びネットワークアドレスは、使用者プロファイルに接続され、異なる装置及びアクセス、適切なサービスを使用することができる。
【００４０】
ＰＢＸシステムに接続するために使用されるプロトコルに関係なく、使用者プロファイルに基づいて使用者の使用可能なサービスを制御できるように、システム管理の容易さが増大される。ＰＢＸ結合レイヤ１７０は、プロファイルに基づいて使用を承認された使用者に対して、可能なサービスの指示を含むことができる。例えば、使用者が音声メールサービスを使用することが承認されたならば、ＰＢＸ結合レイヤ１７０は、ネットワーク１２０の音声メールにアクセスするための支持を提供するだけである。又、現在のＰＢＸ結合レイヤは、ネットワーク上の中央局に記憶されることができ（すなわち幾つかの実施形態においては）、分散システムバージョン及び維持レベルを更新する必要を不要にするものである。更新された使用者の結合レイヤは、自動的に接続をロードされることになる。結合レイヤのライブラリ１８０が移動装置１１０に記憶されない実施形態においては、移動装置１１０の記憶空間の必要量は減少される。
【００４１】
上記した特定の実施形態は説明のためだけのものであり、本発明は、ここでの教示の利点を取得した当業者に明らかな、異なるが均等の形態で修正し、実施することができる。更に、以下の特許請求の範囲に述べられたもの以外は、ここに示された詳細な構成又は設計に制限されるものではない。したがって、上記した特定の実施形態は、変更又は修正することができ、これらのすべての変形は、本発明の範囲及び思想内とみなされることは明らかである。したがって、ここで求められる保護は、以下の特許請求の範囲に述べられている。
【図面の簡単な説明】
【００４２】
【図１】本発明の一例示的実施形態による通信システムを簡略化したブロック図である。
【図２Ａ】図１のシステムで使用される結合レイヤのライブラリにおける例示的エントリーを示している。
【図２Ｂ】図１のシステムで使用される結合レイヤのライブラリにおける例示的エントリーを示している。
【図２Ｃ】図１のシステムで使用される結合レイヤのライブラリにおける例示的エントリーを示している。
【図３】異なるＰＢＸ形式を持つネットワークの間を移動することができる通信システムの代替的実施形態である。
【図４】本発明の別の例示的実施形態による移動装置を構成するための方法を簡略化したブロック図である。
【図５】本発明の更に別の例示的実施形態による、図１の移動装置を簡略化したブロック図である。
【符号の説明】
【００４３】
１００  通信システム
１１０  移動装置
１２０  ネットワーク
１３０  ゲートウエイ
１４０  アクセス地点
１５０  ＰＢＸシステム
１６０  公衆電話ネットワーク
１７０  ＰＢＸ結合レイヤ
１８０  ライブラリ
２００  エントリー
２１０  結合レイヤ
２２０  移動装置形式フィールド
２３０  ＰＢＸ形式フィールド
【図１】
2007515134.tif 000003
【図２Ａ】
2007515134.tif 000004
【図２Ｂ】
2007515134.tif 000005
【図２Ｃ】
2007515134.tif 000006
【図３】
2007515134.tif 000007
【図４】
2007515134.tif 000008
【図５】
2007515134.tif 000009
【国際調査報告】
2007515134.tif 000010
2007515134.tif 000011